Podtech/llm-jp-corpus-v4-ja_patent huggingface dataset:
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
移動に基づく複数の地点の位置情報を含む移動情報を複数記憶する情報処理装置であって、
前記複数の移動情報に含まれる複数の地点の位置情報に基づき、前記複数の移動情報から抽出される部分の地点により決定される複数の部分経路を比較する比較手段と、
前記比較した結果に基づき、前記複数の移動情報において類似する複数の部分経路を表示する表示制御手段と
を備えることを特徴とする情報処理装置。
【請求項２】
前記比較手段は、前記複数の移動情報から抽出される所定数連続する地点どうしを比較することにより当該地点により決定される複数の部分経路を比較することを特徴とする請求項１に記載の情報処理装置。
【請求項３】
前記表示制御手段は、前記複数の移動情報の間で、前記類似する複数の部分経路の中の地点どうしの対応関係を識別可能に表示することを特徴とする請求項１または２に記載の情報処理装置。
【請求項４】
前記複数の移動情報の間で、前記類似する部分経路の中の地点どうしは、動的時間伸縮法より対応付けられることを特徴とする請求項１〜３のいずれか１項に記載の情報処理装置。
【請求項５】
移動に基づく複数の地点の位置情報を含む移動情報を複数記憶する情報処理装置の制御方法であって、
比較手段が、前記複数の移動情報に含まれる複数の地点の位置情報に基づき、前記複数の移動情報から抽出される部分の地点により決定される複数の部分経路を比較する比較ステップと、
表示制御手段が、前記比較した結果に基づき、前記複数の移動情報において類似する複数の部分経路を表示する表示制御ステップと
を備えることを特徴とする情報処理装置の制御方法。
【請求項６】
移動に基づく複数の地点の位置情報を含む移動情報を複数記憶する情報処理装置において実行可能なプログラムであって、
前記情報処理装置を、
前記複数の移動情報に含まれる複数の地点の位置情報に基づき、前記複数の移動情報から抽出される部分の地点により決定される複数の部分経路を比較する比較手段と、
前記比較した結果に基づき、前記複数の移動情報において類似する複数の部分経路を表示する表示制御手段
として機能させるためのプログラム。
【手続補正２】
【補正対象書類名】明細書
【補正対象項目名】０００６
【補正方法】変更
【補正の内容】
【０００６】
そこで、本発明は、複数の異なる経路の中から部分的に類似する経路を特定できる仕組みを提供することを目的とする。
【手続補正３】
【補正対象書類名】明細書
【補正対象項目名】０００７
【補正方法】変更
【補正の内容】
【０００７】
本発明は、移動に基づく複数の地点の位置情報を含む移動情報を複数記憶する情報処理装置であって、前記複数の移動情報に含まれる複数の地点の位置情報に基づき、前記複数の移動情報から抽出される部分の地点により決定される複数の部分経路を比較する比較手段と、前記比較した結果に基づき、前記複数の移動情報において類似する複数の部分経路を表示する表示制御手段とを備えることを特徴とする。
【手続補正４】
【補正対象書類名】明細書
【補正対象項目名】０００８
【補正方法】変更
【補正の内容】
【０００８】
本発明により、複数の異なる経路の中から部分的に類似する経路を特定できる仕組みを提供可能となる。
【手続補正書】
【提出日】令和2年10月23日(2020.10.23)
【手続補正１】
【補正対象書類名】明細書
【補正対象項目名】００４８
【補正方法】変更
【補正の内容】
【００４８】
さらに、試験群30例のなかで、p53染色未実施2例、p53染色性が不明瞭で陰性/陽性が判別できない1例を除き、p53陰性群11例とp53陽性群16例を比較した(図3)。ログランク検定では、PFSについてはp=0.040、OSについてはp=0.006で、いずれも統計学的な有意差を認めた。特に、図3のOSにおいて、p53陰性群では、24ヶ月以降で観察しえた42か月まで1例も死亡者が発生しておらず、3年生存率が79％もあり、この時点では全生存期間中央値は未達であった。これは、例えば、非特許文献6中のFig. 4においてDTH-2反応の大小で分類した2群におけるような単なる生存期間中央値の延長（しかし30か月以上では2群の差がなくなり生存率が30％以下となる）とは異なり、従来の報告に比べて36ヶ月時点の生存者数が非常に多いという画期的な結果である。
【手続補正書】
【提出日】令和2年7月28日(2020.7.28)
【手続補正１】
【補正対象書類名】明細書
【補正対象項目名】００６４
【補正方法】変更
【補正の内容】
【００６４】
［実施の形態の第６例］
実施の形態の第６例について、図１６を用いて説明する。本例では、外周側凹凸部５８ｄを構成する全ての外周側凸部５９ａを、段付き形状とし、基端側の半円柱状の凸部本体６７と、先端側の半円柱状のガイド部６８とから構成している。ガイド部６８は、凸部本体６７に比べて、径方向外方への突出量及び円周方向に関する幅寸法がそれぞれ小さい。また、本例では、外周側凸部５９ａのうち、凸部本体６７の外面にのみ、微小突起６１を設けており、ガイド部６８の外面には微小突起は設けていない。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
回転軸の外周面に対向して配置されたパッドと、
前記パッドを前記回転軸の軸線を中心とした径方向外側で支持するライナと、
前記ライナを、前記軸線を中心とした径方向外側、かつ、前記回転軸の軸線方向の中央位置で支持することで、前記パッドを揺動可能とするピボットと、
を備え、
前記ライナの前記パッドに対向する面と、前記パッドの前記ライナに対向する面と、の何れか一方には、少なくとも前記中央位置に、前記パッドから離れる方向に凹む凹部を備え、
前記凹部は、前記軸線に直交する方向から見て、円弧状に形成されているティルティングパッド軸受。
【請求項２】
前記凹部は、前記軸線方向の中央位置に小凹部を備え、前記小凹部は、前記軸線に直交する方向から見て、前記凹部よりも小さな曲率半径を有する円弧状に形成されている請求項１に記載のティルティングパッド軸受。
【手続補正２】
【補正対象書類名】明細書
【補正対象項目名】０００６
【補正方法】変更
【補正の内容】
【０００６】
上記の課題を解決するために以下の構成を採用する。
この発明の第一の態様によれば、ティルティングパッド軸受は、回転軸の外周面に対向して配置されたパッドと、前記パッドを前記回転軸の軸線を中心とした径方向外側で支持するライナと、前記ライナを、前記軸線を中心とした径方向外側、かつ、前記回転軸の軸線方向の中央位置で支持することで、前記パッドを揺動可能とするピボットと、を備え、前記ライナの前記パッドに対向する面と、前記パッドの前記ライナに対向する面と、の何れか一方には、前記ライナの前記パッドに対向する面は、少なくとも前記中央位置に、前記パッドから離れる方向に凹む凹部を備え、前記凹部は、前記軸線に直交する方向から見て、円弧状に形成されている。
このように構成することで、パッドと対向するライナの面と、ライナと対向するパッドの面と、の何れか一方の中央位置に凹部が形成され、ライナとパッドとの間には隙間が形成される。即ち、凹部がライナに形成される場合、パッドに軸受荷重が作用すると、パッドのうち、凹部に隣接する部分は撓んで隙間内に入り込み、該当部位の径方向内側位置における接触圧力を低減することができる。同様に、凹部がパッドに形成される場合、パッドに軸受荷重が作用すると、凹部の形成されているパッドの中央位置が撓んで、隙間が減少するので、該当部位の径方向内側位置における接触圧力を低減することができる。これにより、パッドと回転軸との接触圧力の分布が、ピボットに支持される位置の近くのみに集中することを抑制し、接触圧力の分布を平均化することができる。したがって、パッド温度上昇及び局所的な塑性流動が生じることを抑制することができる。
【手続補正３】
【補正対象書類名】明細書
【補正対象項目名】０００７
【補正方法】変更
【補正の内容】
【０００７】
さらに、凹部内に角部が形成されていない。そのため、軸受荷重が高い条件下で、パッドが撓んでパッドと凹部の内面との接触、又はライナと凹部の内面との接触が生じた際に、局所的な角当たりを回避することができる。
【手続補正４】
【補正対象書類名】明細書
【補正対象項目名】０００８
【補正方法】変更
【補正の内容】
【０００８】
この発明の第二の態様によれば、前記凹部は、前記軸線方向の中央位置に小凹部を備え、前記小凹部は、前記軸線に直交する方向から見て、前記凹部よりも小さな曲率半径を有する円弧状に形成されていてもよい。
このように構成することで、凹部内に小凹部が形成される。そのため、軸受荷重が大きい場合には、パッドの中央位置が、小凹部に向けて二段階に撓むことができる。これにより、パッドと回転軸との接触圧力の分布が、ピボットの付近のみに集中することをさらに抑制できる。したがって、パッド上における油膜の厚さをさらに一定に保つことができる。
【手続補正書】
【提出日】令和2年10月30日(2020.10.30)
【手続補正１】
【補正対象書類名】明細書
【補正対象項目名】００２３
【補正方法】変更
【補正の内容】
【００２３】
請求項４の発明では、前記底面側弧状部は、中心側の広幅で曲率半径の大きな底面弧状部と該底面弧状部の両端に接続する曲率半径の小さな底面端弧状部とからなることで、特に、安定したシール性のパッキンを提供できる。請求項５の発明では、両側の前記上部連結面及び両側の前記下部連結面は平坦状或いは僅かに凹面状をなすことで、パッキン材料の使用量を低減させるのみならず、パッキンの充填率を低くすることができる。特に、凹面状をなすことで、ゴムの量を減らすことができ、充填率を低減できるため、ゴムの材料費も低減できる。
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
軸線に沿って延びて先端が開口する空気噴出路、及び該軸線に沿って延びて先端が開口する燃料供給路が形成されたノズルと、
該ノズルの周囲に設けられて前記ノズルの主軸線回りにねじれる旋回羽と、
該ノズル及び旋回羽を外周側から囲むとともに、内側を下流側に向かって圧縮空気が流通する内筒と、
前記内筒との間で、前記内筒の外周側の圧縮空気を反転させて該内筒の内側に導入する反転流路を画成する外筒と、
一端が前記反転流路よりも前記圧縮空気の上流側となる空間に接続されるとともに、他端が前記空気噴出路に接続された空気導入管と、
を備え、
前記反転流路よりも上流側に設けられ、前記圧縮空気の流れを整流するとともに、圧損を生じさせる整流板を有し、前記空気導入管における前記一端が接続された前記空間は、前記整流板の上流側にあるガスタービン燃焼器。
【請求項２】
前記空気噴出路の一端は、前記ノズルの先端に開口している請求項１に記載のガスタービン燃焼器。
【請求項３】
複数の前記ノズルを有し、
前記空気導入管は、一端が前記上流側の空間に接続された主導入管と、一端が該主導入管に接続され、他端が前記複数のノズルに向かって分岐するマニホールド部と、を有する請求項１又は２に記載のガスタービン燃焼器。
【請求項４】
外部空気を圧縮して圧縮空気を生成する圧縮機と、
前記圧縮空気と燃料とを燃焼させて燃焼ガスを生成する請求項１から３のいずれか一項に記載のガスタービン燃焼器と、
前記燃焼ガスによって駆動されるタービンと、
を備えるガスタービン。
【手続補正２】
【補正対象書類名】明細書
【補正対象項目名】０００６
【補正方法】変更
【補正の内容】
【０００６】
本発明の第一の態様によれば、ガスタービン燃焼器は、軸線に沿って延びて先端が開口する空気噴出路、及び該軸線に沿って延びて先端が開口する燃料供給路が形成されたノズルと、該ノズルの周囲に設けられて前記ノズルの主軸線回りにねじれる旋回羽と、該ノズル及び旋回羽を外周側から囲むとともに、内側を下流側に向かって圧縮空気が流通する内筒と、前記内筒との間で、前記内筒の外周側の圧縮空気を反転させて該内筒の内側に導入する反転流路を画成する外筒と、一端が前記反転流路よりも前記圧縮空気の上流側となる空間に接続されるとともに、他端が前記空気噴出路に接続された空気導入管と、を備え、前記反転流路よりも上流側に設けられ、前記圧縮空気の流れを整流するとともに、圧損を生じさせる整流板を有し、前記空気導入管における前記一端が接続された前記空間は、前記整流板の上流側にある。
【手続補正３】
【補正対象書類名】明細書
【補正対象項目名】０００７
【補正方法】変更
【補正の内容】
【０００７】
この構成によれば、空気導入管によって、反転流路よりも上流側の空間の圧縮空気が空気噴出路に導かれる。ここで、反転流路及び旋回羽による圧損が生じるため、内筒の内側の空間の圧力は、反転流路上流側の空間の圧力よりも十分に小さくなっている。即ち、空気導入管の一端から他端にかけて十分な圧力差を得ることができる。これにより、空気噴出路に十分な量の圧縮空気を供給することができる。
また、整流板によって生じた圧損により、内筒内側の空間と反転流路上流側の空間との間の圧力差をさらに大きくすることができる。これにより、空気噴出路から噴出する空気の流速をさらに高めることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】令和2年10月23日(2020.10.23)
【手続補正１】
【補正対象書類名】明細書
【補正対象項目名】００４３
【補正方法】変更
【補正の内容】
【００４３】
本発明のブラックマトリックス用顔料分散組成物によれば、レジストを得るための光重
合性化合物や光重合開始剤、アルカリ可溶性樹脂をさらに配合することによって、保存による粘度変化がなく、分散安定性に優れ、必要なブラックマトリックス用顔料分散レジスト組成物を得ることができる。
さらに、本発明のブラックマトリックス用顔料分散レジスト組成物によれば、高いＯＤ
値と、低い反射率を両立した被膜を得ることができる。
また硫酸バリウムを配合しないか、配合しても僅かに留まる比較例１及び２によると十
分に低い反射率の被膜を得ることができなかった。さらに硫酸バリウムの配合量を多くし
た比較例３によってもやはり十分に低い反射率の被膜を得ることができなかった。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
第１方向の幅及び前記第１方向に直交する第２方向の長さを有し、前記第２方向に隣り合うように、第１領域及び第２領域を有するフレキシブル基板と、
画像を表示するために前記第１領域で前記フレキシブル基板に積層された表示回路層と、
前記第１領域から前記第２方向に延び、相互に電気的に接続しないように前記第１方向に並び、前記第２領域で前記フレキシブル基板に積層する複数の配線と、
前記複数の配線の下で前記フレキシブル基板に積層する第１無機絶縁膜と、
を含み、
前記複数の配線の下地面は、相互に高さが異なって前記第２方向に隣り合う複数の上面と、最上面を除く前記複数の上面から立ち上がる蹴上面と、を含む階段部を持つ前記第１無機絶縁膜と、前記第２領域にて接し、
前記第１無機絶縁膜は、少なくとも、最低面を除く前記複数の上面及び前記蹴上面を構成し、
隣同士の前記配線は、前記第１無機絶縁膜において前記第２領域の前記階段部が無い箇所にて分離されていることを特徴とする表示装置。
【請求項２】
請求項１に記載された表示装置において、
前記複数の配線は、隣同士の前記配線から平面視で相互に対向する方向に突出する一対の凸部を有し、
前記一対の凸部は、間隔があいて電気的に絶縁されていることを特徴とする表示装置。
【請求項３】
請求項２に記載された表示装置において、
前記一対の凸部は、前記最上面を除く前記複数の上面のそれぞれと前記蹴上面とで構成される入角部に沿って前記第１方向に突出することを特徴とする表示装置。
【請求項４】
請求項１から３のいずれか１項に記載された表示装置において、
前記複数の上面の前記最低面は、前記フレキシブル基板の上面の一部であることを特徴とする表示装置。
【請求項５】
請求項１から３のいずれか１項に記載された表示装置において、
前記複数の上面のいずれもが、前記第１無機絶縁膜の上面の一部であることを特徴とする表示装置。
【請求項６】
請求項１から５のいずれか１項に記載された表示装置において、
前記複数の配線の上で前記フレキシブル基板に積層する第２無機絶縁膜をさらに有し、
前記第２無機絶縁膜は、少なくとも前記階段部では、隣同士の前記配線の間で前記第２方向に連続する領域を避けて設けられることを特徴とする表示装置。
【請求項７】
請求項６に記載された表示装置において、
前記第２無機絶縁膜が避ける前記領域は、前記複数の上面の前記最低面では、隣同士の前記配線の間で、前記第２方向の全長にわたって連続することを特徴とする表示装置。
【請求項８】
請求項６又は７に記載された表示装置において、
前記第２無機絶縁膜は、前記複数の上面の前記最低面では、前記複数の配線のそれぞれの少なくとも一部との重複を避けるように設けられていることを特徴とする表示装置。
【請求項９】
請求項８に記載された表示装置において、
前記第２無機絶縁膜は、前記複数の上面の前記最低面では、前記第１方向の全幅にわたる領域を避けるように設けられていることを特徴とする表示装置。
【請求項１０】
請求項６から９のいずれか１項に記載された表示装置において、
前記第２無機絶縁膜は、前記複数の上面では、前記複数の配線の全体と重複するように設けられていることを特徴とする表示装置。
【請求項１１】
請求項６から１０のいずれか１項に記載された表示装置において、
前記第２無機絶縁膜の上で前記フレキシブル基板に積層する有機絶縁膜をさらに有し、
前記有機絶縁膜は、前記第２無機絶縁膜が避ける前記領域で前記下地面に接触することを特徴とする表示装置。
【請求項１２】
請求項１から１１のいずれか１項に記載された表示装置において、
前記第１無機絶縁膜は、複数の絶縁層からなり、
前記階段部は、複数段になるように構成されていることを特徴とする表示装置。
【請求項１３】
請求項１から１２のいずれか１項に記載された表示装置において、
前記フレキシブル基板は、前記第１方向に延びる軸ＡＸの周りに屈曲していることを特徴とする表示装置。
【請求項１４】
第１方向の幅及び前記第１方向に直交する第２方向の長さを有し、前記第２方向に隣り合うように、第１領域及び第２領域を有するフレキシブル基板と、
画像を表示するために前記第１領域で前記フレキシブル基板に積層された表示回路層と、
前記第１領域から前記第２方向に延び、相互に電気的に接続しないように前記第１方向に並び、前記第２領域で前記フレキシブル基板に積層する複数の配線と、
前記複数の配線の下で前記フレキシブル基板に積層する第１無機絶縁膜と、
を含み、
前記複数の配線の下地面は、相互に高さが異なって前記第２方向に隣り合う複数の上面と、最上面を除く前記複数の上面から立ち上がる蹴上面と、を含む階段部を持つ前記第１無機絶縁膜と、前記第２領域にて接し、
前記第１無機絶縁膜は、少なくとも、最低面を除く前記複数の上面及び前記蹴上面を構成し、
前記第１無機絶縁膜は、それぞれが前記第２領域の前記階段部よりも低く相互に高さが異なって前記第２方向に隣り合う複数の他の上面と、前記複数の他の上面から立ち上がる蹴上面とを含む第２階段部を前記第２領域に持ち、
第２階段部にて隣り合う前記複数の配線は切断されている表示装置。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
画像形成装置であって、
前記画像形成装置の枠体の一部を構成する側板と、
回転可能な感光体を有し、前記側板に形成された開口を介して前記画像形成装置に着脱可能な交換ユニットと、
前記感光体を露光する光を出射する発光素子と、前記光を前記感光体に集光させるレンズと、を有する露光ヘッドと、
前記レンズの光出射面を清掃する清掃棒であって、作業者が当該清掃棒を前記画像形成装置の外側から前記感光体の回転軸線方向に沿って挿入するための挿入部と、
前記交換ユニットと前記露光ヘッドとは別体として前記側板に固定され、前記挿入部に挿入された前記清掃棒が当該挿入の方向に向けて当接する被当接部と、を備えることを特徴とする画像形成装置。
【請求項２】
前記挿入部と前記被当接部とは一体的に成形されていることを特徴とする請求項１に記載の画像形成装置。
【請求項３】
前記被当接部は前記挿入の方向において前記露光ヘッドよりも上流側に設けられていることを特徴とする請求項１または請求項２に記載の画像形成装置。
【請求項４】
前記挿入の方向に沿って前記開口を見たとき、前記被当接部は、前記開口の領域内に位置することを特徴とする請求項１から請求項３までのいずれか１項に記載の画像形成装置。
【請求項５】
前記露光ヘッドを、前記感光体を露光する露光位置と、当該露光位置よりも前記感光体から離れた離間位置と、に移動させる移動機構を備え、
前記挿入の方向に沿って前記開口を見たとき、前記光出射面は、前記露光ヘッドが前記露光位置に位置する場合は前記開口の領域外に位置し、前記露光ヘッドが前記離間位置に位置する場合は前記開口の領域内に位置することを特徴とする請求項１から請求項４までのいずれか１項に記載の画像形成装置。
【請求項６】
前記清掃棒には前記挿入の方向に交差する方向に突出した突起が設けられており、当該突起が前記被当接部に当接することを特徴とする請求項１から請求項５までのいずれか１項に記載の画像形成装置。
【請求項７】
前記清掃棒が前記被当接部に当接した状態のとき、前記清掃棒の先端側に設けられ前記光出射面を摺擦して清掃する摺擦部は、前記挿入の方向において前記光出射面よりも下流側に位置することを特徴とする請求項１から請求項６までのいずれか１項に記載の画像形成装置。
【請求項８】
前記清掃棒が前記被当接部に当接した状態のとき、前記清掃棒の先端側に設けられ前記光出射面を摺擦して清掃する摺擦部は、前記挿入の方向において、光出射面のうち前記感光体上の画像形成に使用される領域に集光される光が通過する領域よりも下流側に位置することを特徴とする請求項１から請求項６までのいずれか１項に記載の画像形成装置。
【請求項９】
前記露光ヘッドは前記感光体を下方から露光することを特徴とする請求項１から請求項８までのいずれか１項に記載の画像形成装置。
【請求項１０】
前記感光体は、複数設けられており、各々の感光体が異なる色に対応していることを特徴とする請求項１から請求項９までのいずれか１項に記載の画像形成装置。
【請求項１１】
画像形成装置の枠体の一部を構成する側板と、
回転可能な感光体を有し、前記側板に形成された開口を介して前記画像形成装置に着脱可能な交換ユニットと、
前記感光体を露光する光を出射する発光素子と、前記光を前記感光体に集光させるレンズと、を有する露光ヘッドと、を有する画像形成装置に挿入され、前記レンズの光出射面を清掃する清掃棒において、
前記挿入の方向において先端に設けられ、前記光出射面を摺擦して清掃する摺擦部と、
前記挿入の方向において後端に設けられ、作業者が把持するための把持部と、
前記露光ヘッドと前記交換ユニットとは別体として前記側板に固定された被当接部に前記挿入の方向に向けて当接する当接部と、を備えることを特徴とする清掃棒。
【手続補正２】
【補正対象書類名】明細書
【補正対象項目名】００１２
【補正方法】変更
【補正の内容】
【００１２】
上記課題に対して、本願発明の画像形成装置は、前記画像形成装置の枠体の一部を構成する側板と、回転可能な感光体を有し、前記側板に形成された開口を介して前記画像形成装置に着脱可能な交換ユニットと、前記感光体を露光する光を出射する発光素子と、前記光を前記感光体に集光させるレンズと、を有する露光ヘッドと、前記レンズの光出射面を清掃する清掃棒であって、作業者が当該清掃棒を前記画像形成装置の外側から前記感光体の回転軸線方向に沿って挿入するための挿入部と、前記交換ユニットと前記露光ヘッドとは別体として前記側板に固定され、前記挿入部に挿入された前記清掃棒が当該挿入の方向に向けて当接する被当接部と、を備えることを特徴とする。
【手続補正３】
【補正対象書類名】明細書
【補正対象項目名】００１３
【補正方法】変更
【補正の内容】
【００１３】
また、上記課題に対して、本願発明の清掃棒は、画像形成装置の枠体の一部を構成する側板と、回転可能な感光体を有し、前記側板に形成された開口を介して前記画像形成装置に着脱可能な交換ユニットと、前記感光体を露光する光を出射する発光素子と、前記光を前記感光体に集光させるレンズと、を有する露光ヘッドと、を有する画像形成装置に挿入され、前記レンズの光出射面を清掃する清掃棒において、前記挿入の方向において先端に設けられ、前記光出射面を摺擦して清掃する摺擦部と、前記挿入の方向において後端に設けられ、作業者が把持するための把持部と、前記露光ヘッドと前記交換ユニットとは別体として前記側板に固定された被当接部に前記挿入の方向に向けて当接する当接部と、を備えることを特徴とする。
【手続補正４】
【補正対象書類名】明細書
【補正対象項目名】００１４
【補正方法】削除
【補正の内容】
【手続補正書】
【提出日】令和2年3月3日(2020.3.3)
【手続補正１】
【補正対象書類名】明細書
【補正対象項目名】０００４
【補正方法】変更
【補正の内容】
【０００４】
即ち、ドレスに際しては、ドレスボードをチャックテーブル上に装着し、所定のドレス条件を選択し設定した後、ドレスボードをチャックテーブルにより、研削砥石を砥石軸により夫々回転させながら砥石軸を下降させて、砥石軸とチャックテーブルとの相対回転により、ドレスボードで研削砥石の刃先のドレッシングを行う。
【手続補正２】
【補正対象書類名】明細書
【補正対象項目名】００１７
【補正方法】変更
【補正の内容】
【００１７】
【図１】本発明の第１の実施形態を示す平面研削盤の斜視図である。
【図２】同平面研削盤の要部の正面図である。
【図３】同平面研削盤の要部の平面図である。
【図４】同制御装置のブロック図である。
【図５】同セルフ研削、ドレス及び研削の説明図である。
【図６】同動作概要を示すフローチャートである。
【図７】同ドレスボード厚みの測定順序を示す説明図である。
【図８】同ドレスボード厚み測定のフローチャートである。
【図９】同研削砥石の刃先位置の検出順序を示す説明図である。
【図１０】同研削砥石の刃先位置検出のフローチャートである。
【図１１】通常ドレスサイクルのフローチャートである。
【図１２】通常ドレスサイクルの説明図である。
【図１３】負荷検知ドレスサイクルのフローチャートである。
【図１４】負荷検知ドレスサイクルの説明図である。
【図１５】本発明の第２の実施形態を示す刃先位置検出のフローチャートである。
【手続補正３】
【補正対象書類名】明細書
【補正対象項目名】００５５
【補正方法】変更
【補正の内容】
【００５５】
このときの刃先検出開始位置は、最大厚みの新しい研削砥石８を装着した場合にも、その刃先検出が可能な位置に設定されている。また刃先検出開始位置から下降端までの砥石軸６の下降量は、研削砥石８が砥石軸６下降端まで下降しても、その研削砥石８により設備を損傷しない範囲内に設定されている。
【手続補正４】
【補正対象書類名】明細書
【補正対象項目名】００６０
【補正方法】変更
【補正の内容】
【００６０】
刃先検出開始位置を変更した後の粗検出動作において、研削砥石８の刃先位置を検出できなかった回数が設定回数を越えた場合には（Ｓ３９）、依然として砥石軸６の刃先検出開始位置が高すぎるため、再度、刃先検出開始位置を設定量下降させる変更を行い（Ｓ４２）、その変更回数（下降回数）が設定回数内か否かを判定する（Ｓ４３）。そして、その変更回数が設定回数内であれば、砥石軸６を変更後の刃先検出開始位置へと移動させた後（Ｓ４０）、粗検出（Ｓ３３）で検出できなかった回数が設定回数になるまで（Ｓ３９）、同様の粗検出動作を繰り返す（Ｓ３２〜Ｓ３４、Ｓ３９〜Ｓ４１）。
【手続補正５】
【補正対象書類名】明細書
【補正対象項目名】００６２
【補正方法】変更
【補正の内容】
【００６２】
正確な刃先位置検出（Ｓ３７）で研削砥石８の刃先位置を検出ができない場合には（Ｓ３８）、その検出できなかった回数が設定回数内か否かを判断し（Ｓ３９）、設定回数内であれば、粗検出動作時と同様に砥石軸６を刃先検出開始位置へと移動させた後（Ｓ４０）、砥石軸６を設定位相量だけ回転させて研削砥石８の測定箇所を変更して（Ｓ４１）、粗検出（Ｓ３３）から正確な刃先位置検出（Ｓ３７）までの検出動作を繰り返す（Ｓ３２〜Ｓ４１）。
【手続補正６】
【補正対象書類名】明細書
【補正対象項目名】００６３
【補正方法】変更
【補正の内容】
【００６３】
なお、正確な刃先位置検出（Ｓ３７）で検出できなかった回数が設定回数を越えた場合には（Ｓ３９）、変更回数が設定回数になるまで砥石軸６の刃先検出開始位置を変更して（Ｓ４２、Ｓ４３）、その検出動作を繰り返す（Ｓ３２〜Ｓ４１）。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
始動条件の成立により、識別情報の可変表示を実行可能であり、当該可変表示で特定結果が導出されると、遊技者に有利な特別遊技を行う遊技機であって、
開閉可能な可変入賞手段と、
前記特別遊技において、前記可変入賞手段が所定のパターンで開閉するラウンド遊技を複数回実行可能な特別遊技制御手段と、
前記特別遊技において、所定の演出を実行可能な演出制御手段と、を備え、
前記特別遊技には、相対的に遊技者に有利な第１特別遊技と、相対的に遊技者に不利な第２特別遊技と、があり、
前記特別遊技制御手段は、前記第１特別遊技において、第１のラウンド遊技を実行した後に、第２のラウンド遊技を実行し、さらにその後に、第３のラウンド遊技を実行し、
前記演出制御手段は、
前記第１特別遊技が終了することに伴って、前記第１特別遊技が終了することを認識可能な第１特別遊技終了演出を実行可能であり、前記第２特別遊技が終了することに伴って、前記第１特別遊技終了演出と異なり、前記第２特別遊技が終了することを認識可能な第２特別遊技終了演出を実行可能であり、
前記第１特別遊技において、前記第２のラウンド遊技が実行されているときに、前記第２特別遊技終了演出を実行し、前記第３のラウンド遊技が実行されているときに、前記特別遊技が継続することを示唆する継続示唆演出を実行することを特徴とする遊技機。
【請求項２】
始動条件の成立により、識別情報の可変表示を実行可能であり、当該可変表示で特定結果が導出されると、遊技者に有利な特別遊技を行う遊技機であって、
開閉可能な可変入賞手段と、
前記特別遊技において、前記可変入賞手段が所定のパターンで開閉するラウンド遊技を複数回実行可能な特別遊技制御手段と、
前記特別遊技において、所定の演出を実行可能な演出制御手段と、を備え、
前記特別遊技には、相対的に遊技者に有利な第１特別遊技と、相対的に遊技者に不利な第２特別遊技と、があり、
前記特別遊技制御手段は、前記第２特別遊技において、第１のラウンド遊技を実行してから、第２のラウンド遊技を実行した後、前記可変入賞手段の開閉を伴わない終了期間が経過することにより当該第２特別遊技を終了し、
前記演出制御手段は、
前記第１特別遊技が終了することに伴って、前記第１特別遊技が終了することを認識可能な第１特別遊技終了演出を実行可能であり、前記第２特別遊技が終了することに伴って、前記第１特別遊技終了演出と異なり、前記第２特別遊技が終了することを認識可能な第２特別遊技終了演出を実行可能であり、
前記第１特別遊技において、前記第２特別遊技終了演出を実行し、次に前記特別遊技が継続することを示唆する継続示唆演出を実行し、さらにその後に前記第１特別遊技終了演出を実行することが可能であり、
前記第２特別遊技において、前記第２のラウンド遊技から前記終了期間にかけて、前記第２特別遊技終了演出を行うことを特徴とする遊技機。
【手続補正２】
【補正対象書類名】明細書
【補正対象項目名】０００８
【補正方法】変更
【補正の内容】
【０００８】
＜Ａ−１＞本発明に係る遊技機は、
始動条件の成立により、識別情報の可変表示を実行可能であり、当該可変表示で特定結果が導出されると、遊技者に有利な特別遊技を行う遊技機であって、
開閉可能な可変入賞手段と、
前記特別遊技において、前記可変入賞手段が所定のパターンで開閉するラウンド遊技を複数回実行可能な特別遊技制御手段と、
前記特別遊技において、所定の演出を実行可能な演出制御手段と、を備え、
前記特別遊技には、相対的に遊技者に有利な第１特別遊技と、相対的に遊技者に不利な第２特別遊技と、があり、
前記特別遊技制御手段は、前記第１特別遊技において、第１のラウンド遊技を実行した後に、第２のラウンド遊技を実行し、さらにその後に、第３のラウンド遊技を実行し、
前記演出制御手段は、
前記第１特別遊技が終了することに伴って、前記第１特別遊技が終了することを認識可能な第１特別遊技終了演出を実行可能であり、前記第２特別遊技が終了することに伴って、前記第１特別遊技終了演出と異なり、前記第２特別遊技が終了することを認識可能な第２特別遊技終了演出を実行可能であり、
前記第１特別遊技において、前記第２のラウンド遊技が実行されているときに、前記第２特別遊技終了演出を実行し、前記第３のラウンド遊技が実行されているときに、前記特別遊技が継続することを示唆する継続示唆演出を実行することを特徴とする。
【手続補正３】
【補正対象書類名】明細書
【補正対象項目名】０００９
【補正方法】変更
【補正の内容】
【０００９】
＜Ａ−２＞本発明に係る遊技機は、
始動条件の成立により、識別情報の可変表示を実行可能であり、当該可変表示で特定結果が導出されると、遊技者に有利な特別遊技を行う遊技機であって、
開閉可能な可変入賞手段と、
前記特別遊技において、前記可変入賞手段が所定のパターンで開閉するラウンド遊技を複数回実行可能な特別遊技制御手段と、
前記特別遊技において、所定の演出を実行可能な演出制御手段と、を備え、
前記特別遊技には、相対的に遊技者に有利な第１特別遊技と、相対的に遊技者に不利な第２特別遊技と、があり、
前記特別遊技制御手段は、前記第２特別遊技において、第１のラウンド遊技を実行してから、第２のラウンド遊技を実行した後、前記可変入賞手段の開閉を伴わない終了期間が経過することにより当該第２特別遊技を終了し、
前記演出制御手段は、
前記第１特別遊技が終了することに伴って、前記第１特別遊技が終了することを認識可能な第１特別遊技終了演出を実行可能であり、前記第２特別遊技が終了することに伴って、前記第１特別遊技終了演出と異なり、前記第２特別遊技が終了することを認識可能な第２特別遊技終了演出を実行可能であり、
前記第１特別遊技において、前記第２特別遊技終了演出を実行し、次に前記特別遊技が継続することを示唆する継続示唆演出を実行し、さらにその後に前記第１特別遊技終了演出を実行することが可能であり、
前記第２特別遊技において、前記第２のラウンド遊技から前記終了期間にかけて、前記第２特別遊技終了演出を行うことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
音データの割り当て対象とされるチャンネルの数が有限とされる遊技機であって、
抽選遊技の進行に応じて図柄変動が実行され、該図柄変動にて所定の表示態様が現れると遊技者に対して特典を付与する遊技制御手段と、
表示演出が行われる表示手段と、
当該遊技機の状態を検出する状態検出手段と、
当該遊技機が特定の状態になったことが前記状態検出手段により検出された場合、複数種類の報知音のうち特定の報知音をチャンネルに割り当てて出力させる処理を実行可能な報知音割当手段と、
前記図柄変動の実行期間中に前記表示手段における表示演出の進展に応じて各種の演出音をチャンネルに割り当てて出力させる処理を実行可能な演出音割当手段と、
前記図柄変動の実行期間中に前記表示手段における表示演出の進展に応じて各種の演出音のチャンネル割り当てがなされている状況において、遊技者による操作受付を許容して、該操作受付に基づいてそれら演出音の出力音量を調整可能な変動中音量調整手段と
を備え、
前記報知音割当手段は、
前記図柄変動の実行期間中に前記表示手段における表示演出の進展に応じて各種の演出音のチャンネル割り当てがなされている状況において当該遊技機が前記特定の状態になったことが前記状態検出手段により検出された場合、前記複数種類の報知音のうち前記特定の報知音をチャンネルに割り当てて出力させるとともに、前記表示演出の進展に応じた各種の演出音のチャンネル割り当てこれ自体は中止せずその出力音量を特定値まで低下させる演出進展下報知処理を実行可能であり、
前記演出音の出力音量が前記特定値に低下されている期間では、遊技者による操作受付が行われたとしても、前記特定値まで低下されている演出音の出力音量は可変とされず維持されるようになっており、
さらに、
演出に応じた態様で発光可能な発光手段と、
遊技者による操作に基づいて前記発光手段の輝度にかかる設定値の変更を受け付ける輝度設定値受付手段と、
前記輝度設定値受付手段による設定値に基づいて前記発光手段の輝度を調整可能な輝度調整手段と
を備え、
前記発光手段は、当該遊技機が前記特定の状態になったことが前記状態検出手段により検出された場合、前記演出に応じた態様とは異なる特定態様で発光しうるものであり、
前記発光手段が特定態様で発光している期間中においても、遊技者による操作がなされる都度、前記輝度設定値受付手段によって前記発光手段の輝度にかかる設定値の変更が受け付けられうるものであり、
さらに、
前記演出音の出力音量が前記特定値に低下されている期間は、前記報知音割当手段により前記特定の報知音の出力が終了した以降も継続されうる
ことを特徴とする遊技機。
【手続補正２】
【補正対象書類名】明細書
【補正対象項目名】０００８
【補正方法】変更
【補正の内容】
【０００８】
本発明は、
音データの割り当て対象とされるチャンネルの数が有限とされる遊技機であって、
抽選遊技の進行に応じて図柄変動が実行され、該図柄変動にて所定の表示態様が現れると遊技者に対して特典を付与する遊技制御手段と、
表示演出が行われる表示手段と、
当該遊技機の状態を検出する状態検出手段と、
当該遊技機が特定の状態になったことが前記状態検出手段により検出された場合、複数種類の報知音のうち特定の報知音をチャンネルに割り当てて出力させる処理を実行可能な報知音割当手段と、
前記図柄変動の実行期間中に前記表示手段における表示演出の進展に応じて各種の演出音をチャンネルに割り当てて出力させる処理を実行可能な演出音割当手段と、
前記図柄変動の実行期間中に前記表示手段における表示演出の進展に応じて各種の演出音のチャンネル割り当てがなされている状況において、遊技者による操作受付を許容して、該操作受付に基づいてそれら演出音の出力音量を調整可能な変動中音量調整手段と
を備え、
前記報知音割当手段は、
前記図柄変動の実行期間中に前記表示手段における表示演出の進展に応じて各種の演出音のチャンネル割り当てがなされている状況において当該遊技機が前記特定の状態になったことが前記状態検出手段により検出された場合、前記複数種類の報知音のうち前記特定の報知音をチャンネルに割り当てて出力させるとともに、前記表示演出の進展に応じた各種の演出音のチャンネル割り当てこれ自体は中止せずその出力音量を特定値まで低下させる演出進展下報知処理を実行可能であり、
前記演出音の出力音量が前記特定値に低下されている期間では、遊技者による操作受付が行われたとしても、前記特定値まで低下されている演出音の出力音量は可変とされず維持されるようになっており、
さらに、
演出に応じた態様で発光可能な発光手段と、
遊技者による操作に基づいて前記発光手段の輝度にかかる設定値の変更を受け付ける輝度設定値受付手段と、
前記輝度設定値受付手段による設定値に基づいて前記発光手段の輝度を調整可能な輝度調整手段と
を備え、
前記発光手段は、当該遊技機が前記特定の状態になったことが前記状態検出手段により検出された場合、前記演出に応じた態様とは異なる特定態様で発光しうるものであり、
前記発光手段が特定態様で発光している期間中においても、遊技者による操作がなされる都度、前記輝度設定値受付手段によって前記発光手段の輝度にかかる設定値の変更が受け付けられうるものであり、
さらに、
前記演出音の出力音量が前記特定値に低下されている期間は、前記報知音割当手段により前記特定の報知音の出力が終了した以降も継続されうる
ことを特徴とする。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有する遊技盤と、前記遊技盤が設けられる本体枠と、前記本体枠に対して開閉可能に設けられる扉部とを有し、音データの割り当て対象とされるチャンネルの数が有限とされる遊技機であって、
前記遊技領域に設けられる始動口への入賞に基づいて図柄変動が実行され、該図柄変動にて所定の表示態様が現れると遊技者に対して特典を付与する遊技制御手段と、
表示演出が行われる表示手段と、
当該遊技機の状態を検出する状態検出手段と、
前記扉部または前記本体枠が開放状態になったことが前記状態検出手段により検出された場合、複数種類の報知音のうち開放報知音をチャンネルに割り当てて出力させる処理を実行可能な報知音割当手段と、
前記図柄変動の実行期間中に前記表示手段における表示演出の進展に応じて各種の演出音をチャンネルに割り当てて出力させる処理を実行可能な演出音割当手段と、
前記図柄変動の実行期間中に前記表示手段における表示演出の進展に応じて各種の演出音のチャンネル割り当てがなされている状況において、遊技者による操作受付を許容して、該操作受付に基づいてそれら演出音の出力音量を調整可能な変動中音量調整手段と
を備え、
前記報知音割当手段は、
前記図柄変動の実行期間中に前記表示手段における表示演出の進展に応じて各種の演出音のチャンネル割り当てがなされている状況において前記扉部または前記本体枠が開放状態になったことが前記状態検出手段により検出された場合、前記複数種類の報知音のうち前記開放報知音をチャンネルに割り当てて出力させるとともに、前記表示演出の進展に応じた各種の演出音のチャンネル割り当てこれ自体は中止せずその出力音量を特定値まで低下させる演出進展下報知処理を実行可能であり、
前記演出音の出力音量が前記特定値に低下されている期間では、遊技者による操作受付が行われたとしても、前記特定値まで低下されている演出音の出力音量は可変とされず維持されるようになっており、
さらに、
演出に応じた態様で発光可能な発光手段と、
遊技者による操作に基づいて前記発光手段の輝度にかかる設定値の変更を受け付ける輝度設定値受付手段と、
前記輝度設定値受付手段による設定値に基づいて前記発光手段の輝度を調整可能な輝度調整手段と
を備え、
前記発光手段は、前記扉部または前記本体枠が開放状態になったことが前記状態検出手段により検出された場合、前記演出に応じた態様とは異なる特定態様で発光しうるものであり、
前記発光手段が特定態様で発光している期間中においても、遊技者による操作がなされる都度、前記輝度設定値受付手段によって前記発光手段の輝度にかかる設定値の変更が受け付けられうるものである
ことを特徴とする遊技機。
【手続補正２】
【補正対象書類名】明細書
【補正対象項目名】０００８
【補正方法】変更
【補正の内容】
【０００８】
本発明は、
遊技球が流下可能な遊技領域を有する遊技盤と、前記遊技盤が設けられる本体枠と、前記本体枠に対して開閉可能に設けられる扉部とを有し、音データの割り当て対象とされるチャンネルの数が有限とされる遊技機であって、
前記遊技領域に設けられる始動口への入賞に基づいて図柄変動が実行され、該図柄変動にて所定の表示態様が現れると遊技者に対して特典を付与する遊技制御手段と、
表示演出が行われる表示手段と、
当該遊技機の状態を検出する状態検出手段と、
前記扉部または前記本体枠が開放状態になったことが前記状態検出手段により検出された場合、複数種類の報知音のうち開放報知音をチャンネルに割り当てて出力させる処理を実行可能な報知音割当手段と、
前記図柄変動の実行期間中に前記表示手段における表示演出の進展に応じて各種の演出音をチャンネルに割り当てて出力させる処理を実行可能な演出音割当手段と、
前記図柄変動の実行期間中に前記表示手段における表示演出の進展に応じて各種の演出音のチャンネル割り当てがなされている状況において、遊技者による操作受付を許容して、該操作受付に基づいてそれら演出音の出力音量を調整可能な変動中音量調整手段と
を備え、
前記報知音割当手段は、
前記図柄変動の実行期間中に前記表示手段における表示演出の進展に応じて各種の演出音のチャンネル割り当てがなされている状況において前記扉部または前記本体枠が開放状態になったことが前記状態検出手段により検出された場合、前記複数種類の報知音のうち前記開放報知音をチャンネルに割り当てて出力させるとともに、前記表示演出の進展に応じた各種の演出音のチャンネル割り当てこれ自体は中止せずその出力音量を特定値まで低下させる演出進展下報知処理を実行可能であり、
前記演出音の出力音量が前記特定値に低下されている期間では、遊技者による操作受付が行われたとしても、前記特定値まで低下されている演出音の出力音量は可変とされず維持されるようになっており、
さらに、
演出に応じた態様で発光可能な発光手段と、
遊技者による操作に基づいて前記発光手段の輝度にかかる設定値の変更を受け付ける輝度設定値受付手段と、
前記輝度設定値受付手段による設定値に基づいて前記発光手段の輝度を調整可能な輝度調整手段と
を備え、
前記発光手段は、前記扉部または前記本体枠が開放状態になったことが前記状態検出手段により検出された場合、前記演出に応じた態様とは異なる特定態様で発光しうるものであり、
前記発光手段が特定態様で発光している期間中においても、遊技者による操作がなされる都度、前記輝度設定値受付手段によって前記発光手段の輝度にかかる設定値の変更が受け付けられうるものである
ことを特徴とする。
【手続補正書】
【提出日】令和2年1月18日(2020.1.18)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
第１の態様と、前記第１の態様よりも遊技球の入球可能性が高い第２の態様と、に変化可能な可変始動口と、
前記始動口又は前記可変始動口への入球に基づいて識別情報を変動表示する識別情報表示手段と、
遊技領域に設けられ、遊技球が入球可能な入球可能状態と、遊技球が入球不能な入球不能状態と、に変化可能な可変入球口と、
第１遊技状態と、前記第１遊技状態よりも前記可変始動口への入球頻度が高い第２遊技状態と、を設定可能な遊技状態設定手段と、
前記識別情報の変動表示の結果が特定結果となると前記可変入球口を入球可能状態とする特別遊技を実行する特別遊技実行手段と、
を備えた遊技機であって、
前記遊技領域として、少なくとも、第１遊技領域と第２遊技領域とを有し、
前記始動口は、前記第１遊技領域を流下する遊技球が入球可能な位置に設けられ、
前記可変始動口は、前記第２遊技領域を流下する遊技球が入球可能な位置に設けられ、
前記特別遊技として、所定量の遊技利益を獲得可能な第１特別遊技と、前記第１特別遊技よりも獲得可能な遊技利益の量が少ない第２特別遊技と、を有し、
前記第１遊技状態において前記第１特別遊技が実行されると、当該第１特別遊技終了後の遊技状態を前記第２遊技状態に設定し、
前記第１遊技状態において前記第２特別遊技が実行されると、当該第２特別遊技終了後の遊技状態を前記第１遊技状態に設定し、
前記第２遊技状態において前記第１特別遊技が実行されると、当該第１特別遊技終了後の遊技状態を前記第２遊技状態に設定し、
前記第２遊技状態において前記第２特別遊技が実行されると、当該第２特別遊技終了後の遊技状態を前記第２遊技状態に設定し、
前記第１特別遊技は、前記可変入球口を所定の開放パターンで入球可能状態とするものであり、前記第２特別遊技は前記第１特別遊技と異なる開放パターンで前記可変入球口を入球可能状態とするものであり、
前記第１特別遊技及び前記第１特別遊技終了後の前記第２遊技状態を、前記第１遊技領域に遊技球を発射することなく、前記第２遊技領域に遊技球を発射して遊技することを可能とし、
前記第２特別遊技及び前記第２特別遊技終了後の前記第１遊技状態を、前記第２遊技領域に遊技球を発射することなく、前記第１遊技領域に遊技球を発射して遊技することを可能とし、
前記第２特別遊技及び前記第２特別遊技終了後の前記第２遊技状態を、前記第１遊技領域に遊技球を発射することなく、前記第２遊技領域に遊技球を発射して遊技することを可能とする
ことを特徴とする遊技機。
【手続補正２】
【補正対象書類名】明細書
【補正対象項目名】０００７
【補正方法】変更
【補正の内容】
【０００７】
上述の課題を解決するための第１発明の遊技機は、
遊技球が入球可能な始動口と、
第１の態様と、前記第１の態様よりも遊技球の入球可能性が高い第２の態様と、に変化可能な可変始動口と、
前記始動口又は前記可変始動口への入球に基づいて識別情報を変動表示する識別情報表示手段と、
遊技領域に設けられ、遊技球が入球可能な入球可能状態と、遊技球が入球不能な入球不能状態と、に変化可能な可変入球口と、
第１遊技状態と、前記第１遊技状態よりも前記可変始動口への入球頻度が高い第２遊技状態と、を設定可能な遊技状態設定手段と、
前記識別情報の変動表示の結果が特定結果となると前記可変入球口を入球可能状態とする特別遊技を実行する特別遊技実行手段と、
を備えた遊技機であって、
前記遊技領域として、少なくとも、第１遊技領域と第２遊技領域とを有し、
前記始動口は、前記第１遊技領域を流下する遊技球が入球可能な位置に設けられ、
前記可変始動口は、前記第２遊技領域を流下する遊技球が入球可能な位置に設けられ、
前記特別遊技として、所定量の遊技利益を獲得可能な第１特別遊技と、前記第１特別遊技よりも獲得可能な遊技利益の量が少ない第２特別遊技と、を有し、
前記第１遊技状態において前記第１特別遊技が実行されると、当該第１特別遊技終了後の遊技状態を前記第２遊技状態に設定し、
前記第１遊技状態において前記第２特別遊技が実行されると、当該第２特別遊技終了後の遊技状態を前記第１遊技状態に設定し、
前記第２遊技状態において前記第１特別遊技が実行されると、当該第１特別遊技終了後の遊技状態を前記第２遊技状態に設定し、
前記第２遊技状態において記第２特別遊技が実行されると、当該第２特別遊技終了後の遊技状態を前記第２遊技状態に設定し、
前記第１特別遊技は、前記可変入球口を所定の開放パターンで入球可能状態とするものであり、前記第２特別遊技は前記第１特別遊技と異なる開放パターンで前記可変入球口を入球可能状態とするものであり、
前記第１特別遊技及び前記第１特別遊技終了後の前記第２遊技状態を、前記第１遊技領域に遊技球を発射することなく、前記第２遊技領域に遊技球を発射して遊技することを可能とし、
前記第２特別遊技及び前記第２特別遊技終了後の前記第１遊技状態を、前記第２遊技領域に遊技球を発射することなく、前記第１遊技領域に遊技球を発射して遊技することを可能とし、
前記第２特別遊技及び前記第２特別遊技終了後の前記第２遊技状態を、前記第１遊技領域に遊技球を発射することなく、前記第２遊技領域に遊技球を発射して遊技することを可能とする
ことを特徴とするものである。

【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
複数の入球口を設けると共に遊技釘を植設した遊技盤を備える弾球遊技機であって、
前記遊技盤に対する前記遊技釘の位置を示す目印及び前記複数の入球口の少なくとも１の入球口の輪郭を表した板状の検査器具を通して前記遊技盤を見た場合に、前記検査器具上に表された１の入球口の輪郭と重なるよう遊技盤上の前記１の入球口を位置決め手段として機能させるよう、前記遊技盤上の１の入球口の輪郭を明確にしたことを特徴とする弾球遊技機。
【請求項２】
請求項１に記載の弾球遊技機であって、
前記検査器具の前記目印は、前記遊技釘の頭部の位置及び前記植設の位置とする、ことを特徴とする弾球遊技機。
【手続補正２】
【補正対象書類名】明細書
【補正対象項目名】０００７
【補正方法】変更
【補正の内容】
【０００７】
本明細書に開示する一形態における弾球遊技機は、請求項１に記載するように、複数の入球口（入賞口）を設けると共に遊技釘を植設した遊技盤を備える弾球遊技機であって、
前記遊技盤に対する前記遊技釘の位置を示す目印及び前記複数の入球口の少なくとも１の入球口の輪郭を表した板状の検査器具を通して前記遊技盤を見た場合に、前記検査器具上に表された１の入球口の輪郭と重なるよう遊技盤上の前記１の入球口を位置決め手段として機能させるよう、前記遊技盤上の１の入球口の輪郭を明確にしたことを特徴とする。
この弾球遊技機によれば、遊技盤上の１の入球口と検査器具上に表された１の入球口の輪郭とが重なるよう位置決めすれば、検査器具を通して遊技盤を見た場合に検査器具上の目印と遊技盤上の遊技釘の位置とを比較することにより、遊技釘の状態を容易に検査できる。前記検査器具上に輪郭が表された１の入球口に対応する遊技盤面上の１の入球口が、位置決め手段として機能（作用）する。
遊技盤上の１の入球口の輪郭が明確なので、位置決めが容易である。
【手続補正３】
【補正対象書類名】明細書
【補正対象項目名】０００９
【補正方法】変更
【補正の内容】
【０００９】
前記検査器具の目印は、遊技釘の頭部の位置及び植設の位置としても良い。これが請求項２に記載の弾球遊技機である。
請求項２に記載の弾球遊技機は、遊技釘の状態を容易に検査できる。
なお、検査器具の目印の遊技釘の頭部の位置及び植設の位置は、一部の遊技釘の位置を示しても良い。また、検査器具は、透明な板状の樹脂が好ましいが、これに限定されない。また、検査器具の大きさは、遊技盤面全体を覆う大きさでも良く、遊技盤面の一部に用いられる大きさでも良い。